(57)【特許請求の範囲】
【請求項１】
複数の端子収容室を有するコネクタハウジングと、前記端子収容室に対応した複数の電線挿通孔を有し前記コネクタハウジングの後端に装着されるマット状のゴム栓と、該ゴム栓をコネクタハウジングに対して押さえ付けるリヤホルダとを備え、前記ゴム栓の後面に設けられた凹所に前記リヤホルダの前面に設けられた押圧凸部を圧入することにより、ゴム栓に前記電線挿通孔の径方向の圧縮力を発生させ、該圧縮力により、電線挿通孔に通した電線とゴム栓の密着力を増大させる防水コネクタであって、
前記ゴム栓の各電線挿通孔の周囲に筒状肉部を残しながらゴム栓の後面に前記凹所を形成すると共に、隣接する前記筒状肉部を複数合体させてブロック化したことを特徴とする防水コネクタ。
【請求項２】
請求項１記載の防水コネクタであって、
前記リヤホルダの押圧凸部をゴム栓の凹所に圧入する手前の状態でゴム栓を押さえ付けながらコネクタハウジングに対してリヤホルダを仮係止する仮係止手段と、リヤホルダの押圧凸部をゴム栓の凹所に圧入した状態でコネクタハウジングに対してリヤホルダを本係止する本係止手段とを備えていることを特徴とする防水コネクタ。
【発明の詳細な説明】
【０００１】
【発明の属する技術分野】
本発明は、自動車用ワイヤーハーネス等の接続に用いられる防水コネクタに関する。
【０００２】
【従来の技術】
図１２に特開平３−４３９７２号公報に記載されている従来の防水コネクタを示し、図１３（ａ），（ｂ）に同防水コネクタにおいて使用されているゴム栓を示す。図１２において、この防水コネクタは相手コネクタに嵌合されている。この防水コネクタは、雄型のコネクタハウジング１と、その端子収容室に収容された雌型の端子２と、コネクタハウジング１の後端開口を塞ぐように装着されたマット状のゴム栓４とから構成されている。
【０００３】
ゴム栓４には、端子２から後方に延びる電線３を通すための電線挿通孔５が複数設けられている。図１３（ａ），（ｂ）に示すように、電線挿通孔５の周囲には、電線３の外周に適当な弾力を持って密着する円筒状肉部６が各々独立した形で設けられており、円筒状肉部６の周囲には、端子２を通すときの円筒状肉部６の自由な拡開を許容する空間７が確保されている。
【０００４】
【発明が解決しようとする課題】
ところで、上述した従来の防水コネクタのゴム栓４では、円筒状肉部６を各々独立して形成し、その周囲に円筒状肉部６の自由な拡開を許容する空間７を確保しているので、端子挿通時には円筒状肉部６を容易に拡開させながら端子２を電線挿通孔５に容易に通すことができるものの、端子挿通後のシール性能は、各々独立した円筒状肉部６の弾力性だけに頼ることになるため、あまり高くならないという問題があった。
【０００５】
また、電線挿通孔５をそれぞれ独立した形の円筒状肉部６で画成していることから、図１３（ｂ）に示すように、円筒状肉部６の肉厚Ｈ１と、その外周側の空間７の寸法Ｈ２を必要量確保しながら、電線挿通孔５間のピッチＰを設定しなくてはならず、結果的にピッチＰが大きくなり、コネクタが大型化するという問題があった。
【０００６】
本発明は、上記事情を考慮し、シール性能の向上とコネクタの小型化を図り得る防水コネクタを提供することを目的とする。
【０００７】
【課題を解決するための手段】
請求項１の発明は、複数の端子収容室を有するコネクタハウジングと、前記端子収容室に対応した複数の電線挿通孔を有し前記コネクタハウジングの後端に装着されるマット状のゴム栓と、該ゴム栓をコネクタハウジングに対して押さえ付けるリヤホルダとを備え、前記ゴム栓の後面に設けられた凹所に前記リヤホルダの前面に設けられた押圧凸部を圧入することにより、ゴム栓に前記電線挿通孔の径方向の圧縮力を発生させ、該圧縮力により、電線挿通孔に通した電線とゴム栓の密着力を増大させる防水コネクタであって、前記ゴム栓の各電線挿通孔の周囲に筒状肉部を残しながらゴム栓の後面に前記凹所を形成すると共に、隣接する前記筒状肉部を複数合体させてブロック化したことを特徴とする。
【０００８】
この防水コネクタでは、ゴム栓の電線挿通孔に電線の先端に設けた端子を挿通させた後、リヤホルダの押圧凸部をゴム栓の凹所に圧入することにより、電線挿通孔の周囲の筒状肉部を外周から押圧して、ゴム栓と電線の密着力を増大させることができる。従って、リヤホルダの押圧凸部をゴム栓の凹所に圧入する以前の端子挿通時点では、筒状肉部の自由な拡開を許すことができるため、端子挿通時の作業性の向上が図れる。しかも、リヤホルダの押圧凸部をゴム栓の凹所に押し込んだ後の状態では、ゴム栓と電線の密着度が増すため、シール性の向上が図れる。また、筒状肉部は、隣接するもの同士が連続したブロック状になっており、従来例のように各々が独立した形でその外周に空間をそれぞれに確保したものではないため、電線挿通孔間のピッチを小さくすることができ、コネクタの小型化が図れる。
【０００９】
請求項２の発明は、請求項１記載の防水コネクタであって、前記リヤホルダの押圧凸部をゴム栓の凹所に圧入する手前の状態でゴム栓を押さえ付けながらコネクタハウジングに対してリヤホルダを仮係止する仮係止手段と、リヤホルダの押圧凸部をゴム栓の凹所に圧入した状態でコネクタハウジングに対してリヤホルダを本係止する本係止手段とを備えていることを特徴とする。
【００１０】
この防水コネクタでは、リヤホルダの押圧凸部をゴム栓の凹所に圧入する手前の状態で、コネクタハウジングに対してリヤホルダを仮係止することができるので、その仮係止状態において、ゴム栓の電線挿通孔に対して端子を容易に挿通させることができる。また、リヤホルダの押圧凸部をゴム栓の凹所に圧入した状態で、リヤホルダをコネクタハウジングに本係止することができるので、ゴム栓と電線の密着度を高めた状態を長期にわたり安定して維持することができ、シールの信頼性向上が図れる。
【００１１】
【発明の実施の形態】
以下、本発明の一実施形態を図面に基づいて説明する。
【００１２】
図１は一実施形態の防水コネクタＭの分解斜視図である。
【００１３】
この防水コネクタＭは、複数の端子収容室１１１を有する硬質合成樹脂製の雄型のコネクタハウジング１１と、電線Ｗの先端に取り付けられてコネクタハウジング１１の各端子収容室１１１に挿入セットされる雌端子（端子）２０と、コネクタハウジング１１の下側に装着されて各端子収容室１１１に収容された雌端子２０を係止する硬質合成樹脂製のスペーサ１３と、コネクタハウジング１１１の正面に下側から装着されて相手コネクタ４０の雄端子（端子）５０の前記雌端子２０への接続を案内する硬質合成樹脂製のフロントカバー１２と、各端子収容室１１１に対応した複数の電線挿通孔１４１を有しコネクタハウジング１１の後端面に密着させられるマット状のゴム栓１４と、このマット状のゴム栓１４をコネクタハウジング１１の後端面に対して押さえ付ける硬質合成樹脂製のリヤホルダ１５とを備えている。また、その他に、相手コネクタ４０と嵌合したときのロック手段を解除操作するためのロック解除ピン１６や、コネクタの半嵌合検知用の短絡端子１７なども備えている。
【００１４】
図２は防水コネクタＭの端子セット前の仮組状態を示す側断面図、図３は同じ状態を示す一部断面とした平面図である。図４〜図６は端子のセット手順の説明に用いる防水コネクタＭの側断面図、図７は図３のＶＩＩ部分の詳細図で、図７（ａ）はリヤホルダ１５の仮係止状態、図７（ｂ）はリヤホルダ１５の本係止状態を示す図である。また、図８（ａ），（ｂ）はゴム栓１４の正面図及び側面図であり、図９，図１０はゴム栓１４の側断面図、図１１は図１０のＸＩ−ＸＩ矢視断面図である。
【００１５】
図２に示すように、コネクタハウジング１１には、前後方向に貫通する端子収容室１１１が複数設けられ、各端子収容室１１１の下面には、それぞれ挿入セットされた雌端子２０を抜け止め係止するための可撓性を有した端子係止腕としてのランス１１２が設けられている。また、図２，図３に示すように、コネクタハウジング１１の端子収容室１１１を避けた位置には、後述するリヤホルダ１５の係止アーム１５４，１５５を挿入するための係止アーム挿入孔１１４，１１８が設けられている。また、コネクタハウジング１１の上面部には、相手コネクタ４０（図１参照）と嵌合したときに相手コネクタ４０のコネクタハウジング４１と相互ロックするロックアーム１１５が設けられ、コネクタハウジング１１の下面部には、スペーサ１３を挿入するためのスペーサ挿入凹部１１３が設けられている。
【００１６】
ロックアーム１１５は、先端支点部１１５ａが片持支持された状態で、後方に自由端部１１５ｃを延ばしており、先端支点部１１５ａを支点にして、自由端部１１５ｃ側が定位置から下方に弾性変形するようになっている。ロックアーム１１５の先端支点部１１５ａから自由端部１１５ｃに至る途中の上面には、両コネクタを正規嵌合位置まで嵌合したときに、相手コネクタ４０側のコネクタハウジング４１に突設した係止突部（図示略）と係合する係止突起１１５ｂが設けられている。ロックアーム１１５の自由端部１１５ｃには、Ｕ形断面状の傾斜した解除操作部１１５ｄが設けられており、この傾斜した解除操作部１１５ｄの傾斜壁に後方からロック解除ピン１６の先端を突き当てることで、傾斜壁面の作用により、ロックアーム１１５を解除方向である下方に撓ませることができるようになっている。
【００１７】
コネクタハウジング１１の後壁面には、ロックアーム１１５の解除操作部１１５ｄに向けて貫通したロック解除ピン貫通孔１１６が設けられており、このロック解除ピン貫通孔１１６に、ロック解除ピン１６の軸部１６１の先端が挿入されている。ロック解除ピン１６の軸部１６１の先端は半球部１６２となっており、ロックアーム１１５の傾斜した解除操作部１１５ｄにこの半球部１６２が当接するようになっている。
【００１８】
ロックアーム１１５の下側の空間には、短絡端子１７が収容されている。短絡端子１７には、ロックアーム１１５の撓みに応動するバネ片１７１が設けられており、このバネ片１７１の上面に接点１７２が突設されている。この短絡端子１７は、本防水コネクタＭを相手コネクタ４０に対して嵌合させたときに、その嵌合状態を電気的に検知するための機構の構成要素である。すなわち、本防水コネクタＭと相手コネクタ４０とが正常に嵌合しているときには、相手コネクタ４０側の２つの嵌合検知端子（図示略）が接点１７２に接触して、これら嵌合検知端子間が短絡する。また、本防水コネクタＭが相手コネクタ４０と半嵌合状態にあるときは、下方に撓むロックアーム１１５に押されてバネ片１７１が下方に押圧変形させられるので、接点１７２と嵌合検知端子とが非接触となり、嵌合検知端子間が短絡状態とならなくなる。従って、外部から嵌合検知端子間の短絡の有無を確認することにより、両コネクタＭ，４０が正規の嵌合状態にあるか、半嵌合状態にあるかを検知することができ、短絡端子１７が、そのための機構の構成要素となっているのである。
【００１９】
コネクタハウジング１１の正面にはフロントカバー１２が下方から装着されている。フロントカバー１２には、雄端子５０（図１参照）の挿入を案内する案内孔１２１が形成されている。また、コネクタハウジング１１の下面部に設けたスペーサ挿入凹部１１３にはスペーサ１３が挿入されている。
【００２０】
このスペーサ１３は、端子収容室１１１に挿入セットされた端子２０を、ランス１１２と共に二重係止するためのもので、図２の仮係止位置にあるときには端子２０の挿入を許し、図６の本係止位置まで押し込まれたときには、端子２０をランス１１２と共に二重係止する。
【００２１】
このスペーサ１３には、コネクタハウジング１１の端子収容室１１１に対応した端子挿通孔１３１が設けられている。また、このスペーサ１３には、リヤホルダ１５の下部係止アーム１５４（後述）の挿入孔１３２が設けられており、この下部係止アーム挿入孔１３２の内周底面には、スペーサ１３を本係止位置まで押し込んだときに、下部係止アーム１５４の係止孔１５４ａと係合して、リヤホルダ１５を定位置に本係止する係合突起１３３が設けられている。ここでは、係止孔１５４ａと係合突起１３３が、リヤホルダ１５を本係止する手段の一つを構成している。
【００２２】
また、コネクタハウジング１１の後壁面にはマット状のゴム栓１４が装着されており、その更に後側に配されたリヤホルダ１５がゴム栓１４を挟んでいる。ここで、ゴム栓１４の材質は、ゴムに類する弾性を有するものであればよく、必ずしも厳密なゴムそのものに限るものではない。例えば、軟質の樹脂で構成してもよい。
【００２３】
図８〜図１１に示すように、マット状のゴム栓１４には、端子収容室１１１に対応した複数の電線挿通孔１４１が貫通形成されている。また、ロック解除ピン１６を液密シールしながら貫通させるための貫通孔１４５、及び、リヤホルダ１５の係止アーム１５４，１５５を液密シールしながら貫通させるための貫通孔１４４，１４８も貫通形成されている。
【００２４】
ゴム栓１４の後面には、各電線挿通孔１４１の周囲に筒状肉部１４２を残しながら凹所１４３が形成されている。この凹所１４３の外周部は、筒状肉部１４２の突出高さと同じ高さの外周壁１４７によって画成されている。筒状肉部１４２は、隣接するもの同士を複数合体させることで図１１に示すようにブロック化されている。ここでは、４つのブロックＢ１〜Ｂ４が構成されている。まず、それぞれ正方形の頂点の位置に配された４つの電線挿通孔１４１の周囲の筒状肉部１４２を合体することで、第１ブロックＢ１及び第２ブロックＢ２が構成されている。また、それぞれ一列に並んだ電線挿通孔１４１の周囲の筒状肉部１４２を合体することで、第３ブロックＢ３及び第４ブロックＢ４が構成されている。
【００２５】
なお、ロック解除ピン１６を貫通させるための貫通孔１４５や、リヤホルダ１５の係止アーム１５４，１５５を貫通させるための貫通孔１４４，１４８は、これらのブロックＢ１〜Ｂ４を避けた位置に配されている。
【００２６】
図９，図１０に示すように、筒状肉部１４２によって囲まれた電線挿通孔１４１の内周面には、電線Ｗに対する密着度を高めるために、電線挿通孔１４１の貫通方向に２段に並んだ波形断面の環状凸部１４１ａが設けられている。同様に、凹所１４３を画成する外周壁１４７の外周面にも、相手コネクタ４０と嵌合した際に相手コネクタハウジング４１との密着度を高めるために、２段の波形断面の環状凸部１４７ａが設けられている。また、筒状肉部１４２の外周面の根元側には、凹所１４３にリヤホルダ１５の押圧凸部１５２（後述）を圧入した際に潰れる潰し代（外側に若干膨らんだ部分）１４２ａが設けられている。
【００２７】
また、ゴム栓１４に貫通形成したロック解除ピン１６の貫通孔１４５の周囲にも円筒状肉部１４６が設けられている。この円筒状肉部１４６は、コネクタハウジング１１側のロック解錠ピン貫通孔１１６の内周に嵌合するよう、ゴム栓１４の前面に突設されており、この円筒状肉部１４６に内周面にも、ロック解除ピン１６の軸部１６１の外周との密着度を高めるための環状凸部１４５ａが２段設けられている。
【００２８】
また、上記のゴム栓１４をコネクタハウジング１１に対して押さえ付けるリヤホルダ１５には、ゴム栓１４の電線挿通孔１４１に対応した電線挿通孔１５１が設けられ、リヤホルダ１５の前面には、ゴム栓１４の凹所１４３に圧入する押圧凸部１５２が設けられている。押圧凸部１５２の筒状肉部１４２と干渉する壁面は、ゴム栓１４側の潰し代１４２ａを押し潰す押圧壁（アシスト壁）１５２ａとなっており、この押圧壁１５２ａで筒状肉部１４２の潰し代１４２ａを潰しながら、凹所１４３に押圧凸部１５２を圧入することにより、筒状肉部１４２に電線挿通孔１４１の径方向の圧縮力を作用させることができるようになっている。
【００２９】
また、リヤホルダ１５には、ロック解除ピン１６を貫通させる貫通孔１５３が設けられている。ロック解除ピン１６は、この貫通孔１５３に軸部１６１を挿入することで、貫通方向にスライド自在に案内される。このロック解除ピン１６の頭部には、指で押すための円板状の操作部１６３が設けられている。
【００３０】
また、リヤホルダ１５の前面には、図２に示す下部係止アーム１５４と、図３及び図７に示す上部係止アーム１５５とが突設されている。下部係止アーム１５４は、スペーサ１３の係合突起１３３と係合する係止孔１５４ａを有しており、上部係止アーム１５５は、コネクタハウジング１１側の係合突部１１７と選択的に係合する第１係止突起１５５ａと第２係止突起１５５ｂとを有している。
【００３１】
図７（ａ）に示すように、第１係止突起１５５ａを係合突部１１７の前側に位置させ且つ第２係止突起１５５ｂを係合突部１１７の後側に位置させた状態のとき、リヤホルダ１５は仮係止の状態にあり、図２に示すように、押圧凸部１５２がゴム栓１４の凹所１４３に圧入される前の状態にある。
【００３２】
また、図７（ｂ）に示すように、第２係止突起１５５ａを係合突部１１７の前側に位置させた状態のとき、リヤホルダ１５は本係止の状態にあり、図５，図６に示すように、押圧凸部１５２がゴム栓１４の凹所１４３に圧入された後の状態にある。
【００３３】
ここで、第１係止突起１５５ａ、第２係止突起１５５ｂ、及び、係合突部１１７は、リヤホルダ１５をコネクタハウジング１１に仮係止する手段を構成している。また、第２係止突起１５５ｂと係合突部１１７は、リヤホルダ１５をコネクタハウジング１１に本係止する手段の一つを構成している。
【００３４】
次に、上記防水コネクタＭを組み立てる手順について説明する。
【００３５】
図２に示すように、まず、コネクタハウジング１１の正面に下側からフロントカバー１２を装着し、同じく、コネクタハウジング１１の下面部に設けたスペーサ挿入凹部１１３に、下側からスペーサ１３を装着する。この段階では、スペーサ１３はコネクタハウジング１１に対して仮係止しておく。
【００３６】
また、コネクタハウジング１１の後壁面にゴム栓１４をセットして、ゴム栓１４の前面に突設してあるロック解除ピン貫通孔１４５の周囲の円筒状肉部１４６を、コネクタハウジング１１に形成してあるロック解除ピン貫通孔１１６に嵌め込む。次に、リヤホルダ１５をゴム栓１４の後面側に配置し、リヤホルダ１５の下部係止アーム１５４及び上部係止アーム１５５を、ゴム栓１４の貫通孔１４４，１４８を通して、コネクタハウジング１１の下部係止アーム挿入孔１１４及び上部係止アーム挿入孔１１８にそれぞれ挿入する。
【００３７】
そして、上部係止アーム１５５については、図７（ａ）に示すように、第１係止突起１５５ａがコネクタハウジング１１側の係合突部１１７を乗り越え、且つ第２係止突起１５５ｂが係合突部１１７の手前に留まる位置まで押し込み、リヤホルダ１５をコネクタハウジング１１に仮係止する。
【００３８】
また、ロック解除ピン１６は、リヤホルダ１５の貫通孔１５３を通して、コネクタハウジング１１のロック解除ピン貫通孔１１６に嵌合した円筒状肉部１４６のロック解除ピン貫通孔１４５に挿入する。これが図２，図３に示す仮組状態である。
【００３９】
次に、このようにリヤホルダ１５を仮係止した状態から、図４に示すように、電線Ｗの先端に取り付けた端子２０を、リヤホルダの電線挿通孔１５１及びゴム栓１４の電線挿通孔１４１を通して、コネクタハウジング１１の端子収容室１１１に挿入する。この際、リヤホルダ１５が仮係止位置にある状態では、ゴム栓１４の電線挿通孔１４１の周囲の筒状肉部１４２にリヤホルダ１５の押圧凸部１５２が干渉していない、つまり、押圧凸部１５２がゴム栓１４の凹所１４３に圧入されていず筒状肉部１４２が押圧されていないので、該筒状肉部１４２が自由に拡開できる状態にあり、そのため端子２０の挿入が容易にできる。
【００４０】
コネクタハウジング１１の端子収容室１１１に端子２０を挿入すると、端子２０の通過に応じてランス１１２が弾性変形して復元することにより、端子２０が抜け止め係止される。
【００４１】
次に、図５に示すように、リヤホルダ１５を仮係止位置から本係止位置まで押し込む。そうすると、リヤホルダ１５の押圧凸部１５２がゴム栓１４の凹所１４３に圧入され、筒状肉部１４２の外周の潰し代１４２ａが押圧凸部１５２の押圧壁１５２ａによって潰されることで、筒状肉部１４２に電線挿通孔１４１の径方向の圧縮力が作用し、その圧縮力により筒状肉部１４２が電線Ｗに強く密着し、これにより電線Ｗの貫通部分が確実にシールされる。同時に、図７（ｂ）に示すように、リヤホルダ１５の上部係止アーム１５５が前進することで、第２係止突起１５５ｂがコネクタハウジング１１側の係合突部１１７を乗り越え、リヤホルダ１５がコネクタハウジング１１に本係止される。また、ロック解除ピン１６も一緒にゴム栓１４のロック解除ピン貫通孔１４５に挿入しておくことで、その部分も確実にシールされる。
【００４２】
最後に、図６に示すように、スペーサ１３を上に押し上げて本係止させる。そうすると、スペーサ１３の下部係止アーム挿入孔１３２内の係合突起１３３が、リヤホルダ１５の下部係止アーム１５４の係止孔１５４ａに進入し、該係止アーム１５４がロックされる。これにより、リヤホルダ１５が、下部係止アーム１５４及び上部係止アーム１５５により本係止され、防水コネクタＭが完成する。
【００４３】
このように構成された防水コネクタＭの場合、端子２０をコネクタハウジング１１の端子収容室１１１に挿入する段階では、ゴム栓１４の電線挿通孔１４１の周囲の筒状肉部１４２が自由に拡開できる状態にあるので、端子２０の挿入をたやすく行うことができる。また、端子２０を挿入した後で、ゴム栓１４の凹所１４３にリヤホルダ１５の押圧凸部１５２を圧入することで、筒状肉部１４２を圧縮させて電線Ｗの外周に強く密着させるので、高いシール性を維持することができる。
【００４４】
また、ゴム栓１４の円筒肉部１４２はそれぞれを独立させて形成しているのではなく、ブロック状に複数個を合体させているので、各円筒肉部１４２の周囲にそれぞれに拡開を許容するための空間を確保するのと違い、電線挿通孔１４１間のピッチを小さくすることができる。
【００４５】
【発明の効果】
以上説明したように、請求項１の発明によれば、リヤホルダの押圧凸部をゴム栓の凹所に圧入する前の段階では、筒状肉部の自由な拡開を許すことができるため、端子挿通時の作業性の向上を図ることができる。また、リヤホルダの押圧凸部をゴム栓の凹所に押し込むことで、ゴム栓と電線の密着度を増強させることができるため、シール性の向上を図ることができる。また、ゴム栓の筒状肉部は、隣接するもの同士を合体してブロック化してあるため、電線挿通孔間のピッチを小さくすることができ、コネクタの小型化を図ることができる。
【００４６】
請求項２の発明によれば、請求項１の発明の効果に加えて、次の効果を奏することができる。すなわち、リヤホルダの押圧凸部をゴム栓の凹所に圧入する手前の状態でコネクタハウジングにリヤホルダを仮係止することができるので、特別にリヤホルダの位置を手などで押さえていなくても、ゴム栓の電線挿通孔に対して端子を容易に挿通させることができる。また、リヤホルダの押圧凸部をゴム栓の凹所に圧入した状態でリヤホルダをコネクタハウジングに本係止することができるので、ゴム栓と電線の密着度を高めた状態を長期間にわたり安定して維持することができる。
【図面の簡単な説明】
【図１】本発明の一実施形態の防水コネクタの分解斜視図である。
【図２】本発明の一実施形態の防水コネクタの端子セット前の仮組状態を示す側断面図である。
【図３】図２の状態における一部を断面とした平面図である。
【図４】前記防水コネクタの組立手順の説明図で、端子を挿入した直後の状態を示す側断面図である。
【図５】図４の次の段階を示す側断面図である。
【図６】図５の次の段階を示す図であり、完成した防水コネクタの側断面図である。
【図７】図３のＶＩＩ部分の詳細図で、（ａ）はリヤホルダの仮係止状態を示す部分拡大断面図、（ｂ）は同リヤホルダの本係止状態を示す部分拡大断面図である。
【図８】前記防水コネクタに使用しているゴム栓の構成図で、（ａ）は同ゴム栓の正面図、（ｂ）は同ゴム栓の側面図である。
【図９】図８のＩＸ−ＩＸ矢視断面図である。
【図１０】図８のＸ−Ｘ矢視断面図である。
【図１１】図１０のＸＩ−ＸＩ矢視断面図である。
【図１２】従来の防水コネクタの断面図である。
【図１３】図１２の防水コネクタに使用されているゴム栓の構成図で、（ａ）は同ゴム栓の断面図、（ｂ）は図（ａ）のＸＩＩＩｂ矢視図である。
【符号の説明】
Ｍ  防水コネクタ
１１  コネクタハウジング
１１１  端子収容室
１１７  係合突部（仮係止手段、本係止手段）
１３３  係合突起（本係止手段）
１４  ゴム栓
１４１  電線挿通孔
１４２  筒状肉部
１４３  凹所
１５  リヤホルダ
１５２  押圧凸部
１５４ａ  係止孔（本係止手段）
１５５ａ  第１係止突起（仮係止手段）
１５５ｂ  第２係止突起（仮係止手段、本係止手段）
２０  端子
Ｗ  電線
Ｂ１〜Ｂ４  ブロック
【図１】
0003670532.tif 000002
【図２】
0003670532.tif 000003
【図３】
0003670532.tif 000004
【図４】
0003670532.tif 000005
【図５】
0003670532.tif 000006
【図６】
0003670532.tif 000007
【図７】
0003670532.tif 000008
【図８】
0003670532.tif 000009
【図９】
0003670532.tif 000010
【図１０】
0003670532.tif 000011
【図１１】
0003670532.tif 000012
【図１２】
0003670532.tif 000013
【図１３】
0003670532.tif 000014